(57)【特許請求の範囲】
【請求項１】
便器に流す水の流量を、排水スタート時点で比較的少量としその後徐々に増量させる水量制御機構として、貯水タンクの便器へ通じる接続管との接続部となる流出口に逆錐形の栓を配置し、この栓を引き上げる機構は、外面に露顕させてスイッチを設け、該スイッチにより回動制御される巻取モータを有する巻胴に一端を栓に係止したワイヤを巻回するとともに、スリットにワイヤからの係止突起を嵌合させたガイドを設けたことを特徴とする水洗便器。
【発明の詳細な説明】
【０００１】
【発明の属する技術分野】
本発明は、便所に設置する水洗便器に関するものである。
【０００２】
【従来の技術】
便所に設置される水洗便器は、配管直結型もあるが、貯水タンク設置型では、給水管に接続された貯水タンクと、貯水タンクに接続管で接続され、下水管に排出管で接続された便器とで構成されている。前記の貯水タンクには給水管からの水が貯められ、排便後に接続管の開閉弁を開くと、貯水タンク内の水は便器に流れ、水は便器内の便と共に排出管より下水管へ流れる。
【０００３】
【発明が解決しようとする課題】
従来の水洗便器は、使用後の排水及び貯水タンクに水が貯められるときに相当の騒音が発生する。この結果、マンションやアパート等の集合住宅やホテル等では隣室の人に不快感を与え、特に夜間では安眠妨害となり、争いの基となることもある。
【０００４】
本発明の目的は前記従来例の不都合を解消し、排水のときの騒音の発生を極力押さえることができる水洗便器を提供することにある。
【０００５】
【課題を解決するための手段】
本発明は前記目的を達成するため、便器に流す水の流量を、排水スタート時点で比較的少量としその後徐々に増量させる水量制御機構として、貯水タンクの便器へ通じる接続管との接続部となる流出口に逆錐形の栓を配置し、この栓を引き上げる機構は、外面に露顕させてスイッチを設け、該スイッチにより回動制御される巻取モータを有する巻胴に一端を栓に係止したワイヤを巻回するとともに、スリットにワイヤからの係止突起を嵌合させたガイドを設けたことを要旨とするものである。
【０００６】
請求項１記載の本発明によれば、排水時に貯水タンクからの水が便器内に一気に勢いよく押し寄せてくることがなく、騒音の発生を防ぐことができる。
【０００７】
なお、便座と密着する蓋を便器に設けることとすれば、前記作用に加えて、便器内で発生する排水時の音が外へ漏れ難くなる。
【０００８】
さらに、給水管を貯水タンクの下部に開口することとすれば、前記作用に加えて、貯水タンク内において給水時の水が上方から落下することがなく、ゆえに、水が滴り落ちることによる騒音が発生しない。
【０００９】
【発明の実施の形態】
以下、図面にもとづいて本発明の実施の形態を詳細に説明する。図１は本発明の水洗便器の１実施形態を示す縦断側面図であり、図中１は水洗便器を示す。
【００１０】
水洗便器１は、貯水タンク式のものとして、給水管２を接続した貯水タンク３と、貯水タンク３に接続管４を介して接続した便器７とから構成し、該便器７は排出管６を介して下水管５と接続している。
【００１１】
本発明では給水管２は貯水タンク３の下部に設けた流入口３ａに接続し、この流入口３ａにボールタップ８の弁部分を配設する。
【００１２】
また、便器７との接続を行う接続管４も貯水タンク３の下部に設けた流出口３ｂに接続し、便器７の流入口７ａは、便器７の水溜まり部７ｂ内に開口させた。
【００１３】
排水管６は、一端が便器７の流出口７ｃに接続され、他端が下水管５に接続している。
【００１４】
本発明は、貯水タンク３に、便器への排水の流量を排水スタート時点で比較的少量としその後徐々に増量させる制御機構１４を設けるが、この制御機構１４は一例として下記のごときものとした。
【００１５】
貯水タンク３の便器７へ通じる接続管４との接続部となる流出口３ｂに逆錐形（円錐楔形）の栓１８を配置し、この栓１８を徐々に引き上げることで流出口３ｂの開口を徐々に広げ、その結果として便器７への排水の流量を排水スタート時点で比較的少量としその後徐々に増量させるものとする。
【００１６】
栓１８を引き上げる機構は、外面に露顕させてスイッチ１５を設け、該スイッチ１５により回動制御される巻取モータ１６ａを有する巻胴１６に一端を栓１８に係止したワイヤ１７を巻回した。図中１９はワイヤ１７のガイドで、スリットにワイヤ１７からの係止突起を嵌合させた。このガイドの長さ分だけワイヤ１７の巻き上げ、繰り出しが行われ、栓１８が開閉する。
【００１７】
図３に巻取モータ１６ａの制御機構を示すと、制御装置２０は計時手段２０ａ（タイマー）を内蔵し、これにより巻取モータ１６ａの駆動を管理する。
【００１８】
便器７の上部開口７ｄには、便座１１と蓋１２を設け、これらは蝶番１１ａ、１２ａを介して便器７に係止する。蓋１２の内側の周囲にはシール材１２ｂを設け、蓋１２を閉じたときにシール材１２ｂが便器７の上部の開口の縁７ｅに当接し、便器７内の音を外へ漏れ難くした。
【００１９】
さらに、給水管２、貯水タンク３、接続管４、便器７、排出管６、及び下水管５はこれらを防音材１３で被覆するようにしてもよい。
【００２０】
次に動作を図２について説明する。便器７の排水をスタートすべく、スイッチ１５を押圧すると（ステップイ）、栓１８の小開の状態をもたらすので、巻胴１６を回転させてワイヤ１７を巻取る巻取モータ１６ａが正転しはじめ、この際、前記計時手段が巻取モータ１６ａの正転時間ｔ1をカウントする（ステップロ）。
【００２１】
巻胴１６によりワイヤ１７がゆっくりと巻取られ、逆錐形の栓１８がゆっくりかつ少し上昇し、流出口３ｂから比較的少量での排水が開始される。かかる逆錐形の栓１８は下部の突出部１８ａが便器へ通じる接続管４内に臨んでおり、排水スタート時点において、かかる逆錐形の栓１８をわずかに上昇すると接続管４との間に隙間ができ、ここから貯水タンク３内の水が流出する。この際、逆錐形の栓１８は下部の突出部１８ａが接続管４内に残っていることから流出する水量が制限され、排水時に貯水タンク３からの水が便器内に一気に勢いよく押し寄せるということを防止できる。
【００２２】
巻取モータ１６ａが正転しはじめてからの時間Ｔが前記計時手段に予め設定されている時間ｔ2に達すると（ステップハ）、引き続き巻取モータ１６ａの正転が継続され、巻取モータ１６ａの正転時間ｔ3をカウントしはじめる（ステップニ）。
【００２３】
この段階では巻胴１６によりワイヤ１７は急速に巻取られ、栓１８は全開となる。時間ｔ2に達してからの巻取モータ１６ａの正転の時間Ｔが前記計時手段に予め設定されている小開の時間ｔ4に達すると（ステップホ）、巻取モータ１６ａがカウントされた巻取モータ１６ａの正転時間ｔ1＋ｔ3の分だけ逆転して（ステップヘ）、動作がエンドとなる。
【００２４】
そして、巻き上げられたワイヤ１７が延ばされて逆錐形の栓１８が下降し、流出口３ｂが塞がれて排水が停止となる。
【００２５】
なお、給水管２との接続口を貯水タンク３の下部で開口していることから、貯水タンク３内において給水時の水が上方から落下することがなく、ゆえに、水が滴り落ちることによる騒音が発生しないことが第２の消音構造となり、便器７の流入口７ａは、便器７の水溜まり部７ｂ内に開口しているので、従来の水洗便器に比べて水の流し込まれる音が小さくなり、第３の消音構造となる。
【００２６】
また、蓋１２の内側の周囲にはシール材１２ｂを設け、蓋１２を閉じたときにシール材１２ｂが便器７の上部の開口の縁７ｅに当接し、便器７内の音を外へ漏れ難くし、これが第４の消音構造となっている。
【００２７】
さらに、給水管２、貯水タンク３、接続管４、便器７、排出管６、及び下水管５をこれらを防音材１３で被覆した場合は第５の消音構造となる。
【００２８】
【発明の効果】
以上述べたように本発明の水洗便器は、排水のときの騒音の発生を極力押さえることができるものである。
【図面の簡単な説明】
【図１】  本発明の水洗便器の１実施形態を示す縦断側面図である。
【図２】  動作を示すフローチャートである。
【図３】  制御機構の説明図である。
【符号の説明】
１…水洗便器                            ２…給水管
３…貯水タンク                          ３ａ…流入口
３ｂ…流出口                            ４…接続管
５…下水管                              ６…排出管
７…便器                                ７ａ…流入口
７ｂ…水溜まり部                        ７ｃ…流出口
７ｄ…上部開口                          ７ｅ…縁
８…ボールタップ                        １１…便座
１１ａ…蝶番                            １２…蓋
１２ａ…蝶番                            １２ｂ…シール材
１３…防音材                            １４…制御機構
１５…スイッチ                          １６…巻胴
１６ａ…巻取モータ
１７…ワイヤ                            １８…栓
１８ａ…突出部                          １９…ガイド
２０…制御装置                          ２０ａ…計時手段
【図１】
0003818039.tif 000002
【図２】
0003818039.tif 000003
【図３】
0003818039.tif 000004